(57)【特許請求の範囲】
【請求項１】
壁面の高さ方向中間部に手摺り部材収納用の凹所が設けられ、この凹所内にこの凹所を隠す態様の手摺り部材が収納され、
該手摺り部材を、該収納状態から外方に突出変位させた後、手摺り部材の下部側が壁面に沿うように下方に変位させることにより、凹所の上部側が開放された手摺り使用セッティング状態が形成されるようになされていて、該手摺り使用セッティング状態において、開放部を通じて手を凹所内空間部内に差し込み、該凹所内空間部を利用して、手摺り部材の上部側を手摺りとして掴むようになされていることを特徴とする手摺り構造。
【請求項２】
前記手摺り部材は、その上部側が外方に突出するよう回動して屈折するようになされている請求項１に記載の手摺り構造。
【発明の詳細な説明】
【０００１】
【発明の属する技術分野】
本発明は、手摺り構造に関する。
【０００２】
【従来の技術及び課題】
廊下や階段の壁に手摺りを備えさせることは、病気や怪我をした者、あるいは高齢者など、からだの不自由な者にとって、からだを支え、動作の安全を確保できるという意味で、好ましいことである。しかしその一方、からだが元気なときは、手摺りは不要であり、また、壁に対し壁面から突出して取り付けられるものであるため、廊下や階段などの通路の幅を狭くするし、スッキリとした壁面の外観体裁を損なわせてしまうという問題がある。また、例えば、賃貸住宅などのように入居者が入れ替わる場合、手摺りがせびとも必要と望む入居者がある一方で、手摺りの存在を生活の中で意識したくないと望む入居者もある。
【０００３】
本発明は、このような問題点に鑑み、必要なときに手摺りとして用いることができ、不要なときは壁面を手摺りの突出のないスッキリとしたものにすることができる手摺り構造を提供することを課題とする。
【０００４】
【課題を解決するための手段】
上記の課題は、壁面の高さ方向中間部に手摺り部材収納用の凹所が設けられ、この凹所内にこの凹所を隠す態様の手摺り部材が収納され、この手摺り部材は、この凹所の内外を行き来するよう支持され、凹所外に突出されて手摺りとなることを特徴とする手摺り構造によって解決される。
【０００５】
即ち、この手摺り構造によれば、手摺りを使う必要のあるときは、手摺り部材を凹所の外に突出させることで、これを手摺りとして使用することができる。そして、手摺りが不要なときは、手摺り部材を凹所内に収納することで、壁面からの手摺りの出っ張りを少なくし、あるいは、なくすことができ、通路などの空間を広くできる。しかも、このように、不使用時に壁面からの手摺り部材の出っ張りを防ぐことができるものであるのに加えて、手摺り部材は、壁面の収納用凹所を隠す態様のものに構成されているから、手摺り部材の収納状態において、壁面の凹所を隠すことができ、壁面をスッキリとしたものにすることができる。
【０００６】
上記の手摺り構造において、凹所外に突出された手摺り部材は、これをその上方より凹所内空間部を利用して掴むことができるよう、凹所の高さ位置から所定の高さ下方に変位されるものとなされているのが良い。
【０００７】
即ち、手摺りの背後には指先を回り込ませる空間部があったほうが、手摺りをしっかりと掴むことができるという点で好ましい。しかし、そのための空間部を壁面と手摺りとの間に確保しようとすると、手摺りを壁面から前方に大きく突出させなければならない。そこで、上記のように、凹所内空間部を、手摺りを掴む際の指先を回り込ませる空間部として用いることができる構造とすることにより、手摺り使用時、指先を手摺り部材の背後に回り込ませて手摺りをしっかりと掴むことができながら、壁面からの手摺り部材の突出を小さく抑えることができ、手摺り使用時においても通路などの空間を広くすることができる。
【０００８】
また、手摺り部材は、その上部側が外方に突出されるよう回動して屈折されるものとなされているのが良い。からだが不自由な者にとっては、壁面からの手摺りの出っ張りが大きい方がより安定良く手摺りにからだを支えさせることができるという場合もあり、そのような場合に役立つ。のみならず、手摺り部材が、使用時において、凹所の高さ位置から下方に変位されない構造である場合は、手摺り部材の上部側を外方に突出されるよう回動して屈折させることで、手を壁面凹所内へと回り込ませる口を広くすることができ、手摺り部材を掴みやすくすることができる。また、手摺り部材が、使用時において、凹所の高さ位置から下方に変位される構造である場合においても、下方への手摺り部材の変位量の確保が十分できないような場合は、それを補うことができて、凹所内への手の差込み口を広く確保することができ、手摺り部材を掴みやすくすることができる。
【０００９】
【発明の実施の形態】
次に、本発明の実施形態を図面に基づいて説明する。
【００１０】
本実施形態の手摺り構造は、例えば、廊下や階段などの壁面に設けられて用いられる。図１及び図２に示す実施形態において、１は壁面であり、壁面１には、高さ方向の中間部、即ち手摺りとして用いる場合に使いやすい高さ位置に凹所２が設けられている。
【００１１】
３は手摺り部材で、手摺り部材３は、この壁面１の凹所２内にスッポリと収納されるように構成されており、不使用時には、図２に示すように、凹所２内に収納されて、凹所２内を視認されないように隠し、しかも、手摺り部材３の外面は平坦で構成されていて、収納状態において、手摺り部材３と壁面１とが面一ないしは略面一となり、壁面１内に手摺り部材３が埋込み状態にされているとは外観上感じさせないものにされている。
【００１２】
従って、手摺りが不要なときは、手摺り部材３を凹所２内に収納しておくことで、壁面１からの手摺りの出っ張りはなく、そのため、廊下や階段の通路空間を広くでき、しかも、壁面１を手摺りのないスッキリとしたものにすることができる。
【００１３】
また、手摺り使用時は、手摺り部材３は、図１に示すように、壁面１の凹所２内から外に突出され、下方に変位されて、手摺り使用のセッティング状態になる。また、手摺り部材３は、その上部側３ａが下部側３ｂに対し回動して屈折されるように連結されており、下部側３ｂよりも更に外方、即ち前方に突出されるようになされている。
【００１４】
従って、手摺りを必要とするときは、手摺り部材３を凹所２の外に出すことで、これを手摺りとして使用することができる。この手摺り部材３は壁面凹所２を出たのち下方に変位されるから、壁面１の凹所２の上部が外に開放４され、この開放部４を通じて手を凹所２内に差し込み、手摺り部材３をしっかりと掴んで、からだを支えることができる。手摺り部材３はこうして壁面１の凹所２内の空間部を利用してしっかりと掴むことができるから、壁面１からの手摺り部材３の突出量を小さく抑えることができ、廊下や階段の通路空間を狭くすることがない。また、手摺り部材３の上部側３ａを外方に突出させた場合は、手摺り部材３でからだをより安定良く支えることができるようになり、また、手を壁面凹所２内へと回り込ませる口４を大きくすることができて、手摺り部材３を掴みやすくする。
【００１５】
上記のような手摺り部材３の動きを実現する一手段として、本実施形態では、次のような連結機構５が用いられている。
【００１６】
即ち、図３乃至図７に示すように、壁面１の凹所２内には、機構基部６が固着されており、この機構基部６には、前後方向に延びる水平孔部７ａと、この水平孔部７ａの前端に連通して下方に延びる垂下孔部７ｂとで構成されるＬ字ガイド孔７が設けられている（図４参照）。
【００１７】
この機構基部６には、基部６を挟む左右両側にアーム８，８が連結されている。アーム８には、その長手方向に延びるガイド用長孔９が設けられ、機構基部６とアーム８とは、機構基部６のＬ字ガイド孔７内に第１連結ピン１０を摺動自在に嵌め込むと共に、この第１連結ピン１０をアーム８のガイド用長孔９内に摺動自在に嵌め込んで連結されている。
【００１８】
一方、手摺り部材３の背面側には、後方に開口され前方の封鎖された凹部１１が設けられており、凹部１１内の左右両側面には、上下方向に延びる縦ガイド溝１２が設けられている。このガイド溝１２に第２連結ピン１３が摺動自在に嵌め込まれると共に、この第２連結ピン１３が上記のアーム８，８のガイド用長孔９内に摺動自在に嵌め込まれて、手摺り部材３と上記のアーム８とが連結されている。この連結機構５は、手摺り部材３において、その左右方向に間隔をおいた複数箇所に設けられている。
【００１９】
上記の連結機構５では、図３に示すように、手摺り部材３が、壁面凹所２内に収納されている状態において、第１連結ピン１０は、機構基部６に対しては、そのＬ字孔７の水平孔部７ａの後端に位置し、アーム８に対しては、そのガイド長孔９の前端に位置し、そして、第２連結ピン１３は、手摺り部材３の凹部１１の側面の縦ガイド溝１２の下端に位置している。
【００２０】
この状態から、図４に示すように、手摺り部材３を壁面凹所２内から前方に突出させていくと、第１連結ピン１０は、機構基部６のＬ字孔７の水平孔部７ａ内を相対的に前方に移動していき、また、アーム８の長孔９を相対的に後方に移動していき、最終的に、第１連結ピン１０は、機構基部６のＬ字孔７の水平孔部７ａの前端に達し、また、アーム８のガイド長孔９の後端に達し、これがストッパーになって、手摺り部材３は、それ以上前方に突出されるのが阻止された状態となる。この状態で、手摺り部材３は、その全体が壁面凹所２の外に出る。
【００２１】
そして、この状態から、手摺り部材３を壁面１に沿うように下方に変位させていくと、図５に示すように、第２連結ピン１３が、手摺り部材３の縦ガイド溝１２内を相対的に上方へと移動していき、最終的に、この縦ガイド溝１２内の上端に達する。また同時に、手摺り部材３のこの下方変位動作で、機構基部６のＬ字孔７の水平孔部７ａの前端に位置していた第１連結ピン１０が、このＬ字孔７の垂下孔部７ｂの下端に落とし込まれ、そして、アーム８は、幾分傾斜状態となって、機構基部６の側に設けられた第１当接部１４と、手摺り部材３の背面凹部１１内の上面の第２当接部１５とに当接する。これらの当接と、上記のように第２連結ピン１３が手摺り部材３の縦ガイド溝１２内の上端に達することとが、ストッパーとなり、手摺り部材３は、下方にそれ以上変位するのが阻止される。
【００２２】
そして、図６に示すように、手摺り部材３の上部側３ａを外方に回動屈折させ、これを外方に突出させる。以上により、手摺りとして使用できるセッティング状態となる。
【００２３】
この手摺りセッティング状態で、手摺り部材３は上から下に向く力に耐えることができる。また、手摺り部材３の上部持ち手部分を前方、即ち凹所２と反対の方向に引く力にも、手摺り部材３の下半部が壁面１に当接されるなどにより、耐えることができる。更に、手摺り部材３の上部持ち手部分を後方、即ち凹所２のある側に押す力に対しても、アーム８が手摺り部材３の凹部１１内の奥面１６に当接すること、第１連結ピン１０が機構基部６のＬ字孔７の垂下孔部７ｂ内に落ち込んでいることなどで、耐えることができる。従って、この手摺り部材３を手摺りとして安全に使用することができる。
【００２４】
手摺りが不要なときは、手摺り部材３を上方に変位させていく。これにより、第２連結ピン１３が手摺り部材３の縦ガイド溝１２の下端側へと相対的に移動していき、縦ガイド溝１２の下端に達すると、アーム８が、手摺り部材３の背面凹部１１の底面１７に当接されて水平になり、第１連結ピン１０は機構基部６のＬ字孔の垂下孔部７ｂを上昇し、水平孔部７ａ内に入る。そして、その状態から、手摺り部材３を壁面凹所２内へと押し込んでいけば、手摺り部材３は、壁面１の凹所２内に収納状態となる。機構基部６の水平孔部７ａとアーム８のガイド長孔９とに第１連結ピン１０を嵌め込んで連結する構成としているので、壁面１の内方への連結機構５の突出を小さく抑えることができる。
【００２５】
なお、手摺り部材３の上部側３ａは、手摺り部材３を上方に変位させていく前の段階で立てた状態に戻すようにしてもよいが、外方に突出させたまま、この外方に突出する上部側３ａを持ち手としつつ、手摺り部材３を上昇させ凹所２内に収納していくこととすれば、手摺り部材３の収納操作を比較的容易に行うことができる。
【００２６】
以上に、本発明の実施形態を示したが、本発明はこれに限られるものではなく、発明思想を逸脱しない範囲で、各種の変更が可能である。例えば、本発明における手摺り部材は、壁面１の凹所２に収納された状態でこの凹所２を隠す態様のものであればよく、上記の実施形態のように壁面１と面一に収納されているもののほか、壁面１を飾るような装飾的役割を果たす構成、例えばデザイン的な凸や凹、平面的模様などが壁面１に形成される構成のものであってもよい。また、上記の実施形態では、手摺り部材３の動作のための機構として特定構造のものを示しているが、これに限られるものではなく、各種機構が用いられてよい。また、手摺り部材３の動きについても、凹所２から前方に突出するだけで下方に変位しない構造において、手摺り部材３の上部側３ａが外方に突出される構造であってもよい。また、手摺り部材３の上部側３ａが外方に突出されない構造となされていてもよい。更にまた、手摺り部材３は、壁面凹所２から前方に突出して上方に変位する構造となされていてもよいし、更にその他の動きをして凹所２から突出される構造となされていてもよい。
【００２７】
【発明の効果】
上述の次第で、本発明の手摺り構造は、上記のような構成を有するものであるから、必要なときに手摺りとして用いることができ、不要なときは壁面を手摺りの突出のないスッキリとしたものにすることができる。賃貸住宅などのように入居者が入れ替わるような場合は、手摺りがせびとも必要と望む入居者の希望を満足させることができると共に、手摺りの存在を生活の中で意識したくないと望む入居者の希望も満足させることができる。
【図面の簡単な説明】
【図１】実施形態の手摺り構造を示すもので、手摺り使用時の状態を示す断面斜視図である。
【図２】手摺り不要時の状態の断面斜視図である。
【図３】内部機構を含めて示すもので、収納状態の断面側面図である。
【図４】手摺り部材が前方に突出された状態の断面側面図である。
【図５】手摺り部材が下方に変位された状態の断面側面図である。
【図６】手摺り部材の上部側が外方に屈折させた状態の断面側面図である。
【図７】手摺り構造の断面平面図である。
【符号の説明】
１…壁面
２…凹所
３…手摺り部材
３ａ…上部側
４…開放部
【図１】
0004112123.tif 000002
【図２】
0004112123.tif 000003
【図３】
0004112123.tif 000004
【図４】
0004112123.tif 000005
【図５】
0004112123.tif 000006
【図６】
0004112123.tif 000007
【図７】
0004112123.tif 000008